(57)【要約】  本願はアップリンク制御情報の伝送方法を開示し、端末装置は、上位層パラメータによって確定された第１ビット数に基づいてアップリンク制御チャネルリソース集合を確定することと、端末装置は、該アップリンク制御チャネルリソース集合内の１つのアップリンク制御チャネルリソースを示すための構成情報を受信することと、端末装置は、該アップリンク制御チャネルリソースに対応するチャネルフォーマットに基づき、伝送対象の第１アップリンク制御情報を確定し、第１アップリンク制御情報の占有したビット数が第１ビット数以下であることと、端末装置は、該チャネルフォーマットを用いて該１つのアップリンク制御チャネルリソースにおいて該第１アップリンク制御情報を伝送することと、を含む。従って、端末装置は、アップリンク制御チャネルリソースに対応するチャネルフォーマットに基づいて伝送対象のアップリンク制御情報を確定し、実際に伝送されたアップリンク制御情報のビット数を上位層パラメータによって確定されたアップリンク制御情報のビット数以下にし、それによりアップリンク制御情報の伝送効率を向上させる。
2021516458.tif 000002
【特許請求の範囲】
【請求項１】
アップリンク制御情報の伝送方法であって、
端末装置は、上位層パラメータによって確定された第１ビット数に基づいてアップリンク制御チャネルリソース集合を確定することと、
前記端末装置は、ネットワーク機器から送信された、前記アップリンク制御チャネルリソース集合内の１つのアップリンク制御チャネルリソースを示すための構成情報を受信することと、
前記端末装置は、前記１つのアップリンク制御チャネルリソースに対応するチャネルフォーマットに基づき、伝送対象の第１アップリンク制御情報を確定し、前記第１アップリンク制御情報の占有したビット数が前記第１ビット数以下であることと、
前記端末装置は、前記チャネルフォーマットを用いて前記１つのアップリンク制御チャネルリソースにおいて前記第１アップリンク制御情報を伝送することと、を含むことを特徴とする、前記アップリンク制御情報の伝送方法。
【請求項２】
前記第１ビット数が第１閾値以上であることを特徴とする
請求項１に記載の方法。
【請求項３】
前記端末装置は、前記１つのアップリンク制御チャネルリソースに対応するチャネルフォーマットに基づき、伝送対象の第１アップリンク制御情報を確定することは、
前記１つのアップリンク制御チャネルリソースに対応するチャネルフォーマットが第１種類のチャネルフォーマットである場合、前記端末装置は、前記第１アップリンク制御情報の占有したビット数が前記第１ビット数に等しいことを確定し、
前記第１種類のチャネルフォーマットで搬送可能な最大ビット数が第１閾値より大きいことを含むことを特徴とする
請求項１又は２に記載の方法。
【請求項４】
前記端末装置は、前記１つのアップリンク制御チャネルリソースに対応するチャネルフォーマットに基づき、伝送対象の第１アップリンク制御情報を確定することは、
前記１つのアップリンク制御チャネルリソースに対応するチャネルフォーマットが第２種類のチャネルフォーマットである場合、前記端末装置は、前記第１アップリンク制御情報が、受信された物理ダウンリンク共有チャネルに対応するフィードバック情報であることを確定し、
前記第２種類のチャネルフォーマットで搬送可能な最大ビット数が第１閾値以下であることを含むことを特徴とする
請求項１又は２に記載の方法。
【請求項５】
前記端末装置が、前記第１アップリンク制御情報が、受信された物理ダウンリンク共有チャネルに対応するフィードバック情報であることを確定する前に、前記方法は、更に、
前記端末装置は、目標時間ユニット集合において１つの物理ダウンリンク共有チャネルを受信し、又は、
前記端末装置は、前記目標時間ユニット集合において少なくとも１つの物理ダウンリンク共有チャネルを受信し、前記少なくとも１つの物理ダウンリンク共有チャネルの数が前記第１閾値以下であり、且つ各物理ダウンリンク共有チャネルが１つの伝送ブロックを搬送し、
前記目標時間ユニット集合に少なくとも１つの時間ユニットが含まれ、前記１つのアップリンク制御チャネルリソースが、前記目標時間ユニット内で受信した物理ダウンリンク共有チャネルに対応するフィードバック情報を搬送することに用いられることを含むことを特徴とする
請求項４に記載の方法。
【請求項６】
第１閾値の値が２であることを特徴とする
請求項１〜５のいずれか１項に記載の方法。
【請求項７】
アップリンク制御情報の伝送方法であって、
ネットワーク機器は、上位層パラメータによって確定された第１ビット数に基づいてアップリンク制御チャネルリソース集合を確定することと、
前記ネットワーク機器は、前記アップリンク制御チャネルリソース集合において１つのアップリンク制御チャネルリソースを確定し、前記１つのアップリンク制御チャネルリソースが、端末装置から送信された第１アップリンク制御情報を受信することに用いられることと、
前記ネットワーク機器は、前記１つのアップリンク制御チャネルリソースに対応するチャネルフォーマットに基づき、受信対象の第１アップリンク制御情報を確定し、前記第１アップリンク制御情報の占有したビット数が前記第１ビット数以下であることと、
前記ネットワーク機器は、前記チャネルフォーマットを用いて前記１つのアップリンク制御チャネルリソースにおいて、前記端末装置から送信された前記第１アップリンク制御情報を検出することと、を含むことを特徴とする、前記アップリンク制御情報の伝送方法。
【請求項８】
前記第１ビット数が第１閾値以上であることを特徴とする
請求項７に記載の方法。
【請求項９】
前記ネットワーク機器が、前記１つのアップリンク制御チャネルリソースに対応するチャネルフォーマットに基づき、受信対象の第１アップリンク制御情報を確定することは、
前記１つのアップリンク制御チャネルリソースに対応するチャネルフォーマットが第１種類のチャネルフォーマットである場合、前記ネットワーク機器が、前記第１アップリンク制御情報の占有したビット数が前記第１ビット数に等しいことを確定し、
前記第１種類のチャネルフォーマットで搬送可能な最大ビット数が第１閾値より大きいことを含むことを特徴とする
請求項７又は８に記載の方法。
【請求項１０】
前記ネットワーク機器は、前記１つのアップリンク制御チャネルリソースに対応するチャネルフォーマットに基づき、受信対象の第１アップリンク制御情報を確定することは、
前記１つのアップリンク制御チャネルリソースに対応するチャネルフォーマットが第２種類のチャネルフォーマットである場合、前記ネットワーク機器は、前記第１アップリンク制御情報が、送信された物理ダウンリンク共有チャネルに対応するフィードバック情報であることを確定し、
前記第２種類のチャネルフォーマットで搬送可能な最大ビット数が第１閾値以下であることを含むことを特徴とする
請求項７又は８に記載の方法。
【請求項１１】
前記ネットワーク機器が、前記第１アップリンク制御情報が、送信された物理ダウンリンク共有チャネルに対応するフィードバック情報であることを確定する前に、前記方法は、更に、
前記ネットワーク機器は、目標時間ユニット集合において１つの物理ダウンリンク共有チャネルを送信し、又は、
前記ネットワーク機器は、目標時間ユニット集合において少なくとも１つの物理ダウンリンク共有チャネルを送信し、前記少なくとも１つの物理ダウンリンク共有チャネルの数が前記第１閾値以下であり、且つ各物理ダウンリンク共有チャネルが１つの伝送ブロックを搬送し、
前記目標時間ユニット集合に少なくとも１つの時間ユニットが含まれ、前記１つのアップリンク制御チャネルリソースが、前記目標時間ユニット内で送信した物理ダウンリンク共有チャネルに対応するフィードバック情報を搬送することに用いられることを含むことを特徴とする
請求項１０に記載の方法。
【請求項１２】
第１閾値の値が２であることを特徴とする
請求項７〜１１のいずれか１項に記載の方法。
【請求項１３】
端末装置であって、
上位層パラメータによって確定された第１ビット数に基づいてアップリンク制御チャネルリソース集合を確定するための確定ユニットと、
ネットワーク機器から送信された、前記確定ユニットで確定した前記アップリンク制御チャネルリソース集合内の１つのアップリンク制御チャネルリソースを示すための構成情報を受信するための通信ユニットと、を備え、
前記確定ユニットは、更に、前記１つのアップリンク制御チャネルリソースに対応するチャネルフォーマットに基づき、伝送対象の第１アップリンク制御情報を確定することに用いられ、前記第１アップリンク制御情報の占有したビット数が前記第１ビット数以下であり、
前記通信ユニットは、更に、前記チャネルフォーマットを利用して前記１つのアップリンク制御チャネルリソースにおいて、前記確定ユニットで確定した前記第１アップリンク制御情報を伝送することに用いられることを特徴とする、前記端末装置。
【請求項１４】
前記第１ビット数が第１閾値以上であることを特徴とする
請求項１３に記載の端末装置。
【請求項１５】
前記確定ユニットは、具体的に、
前記１つのアップリンク制御チャネルリソースに対応するチャネルフォーマットが第１種類のチャネルフォーマットである場合、前記第１アップリンク制御情報の占有したビット数が前記第１ビット数に等しいことを確定することに用いられ、
前記第１種類のチャネルフォーマットで搬送可能な最大ビット数が第１閾値より大きいことを特徴とする
請求項１３又は１４に記載の端末装置。
【請求項１６】
前記確定ユニットは、具体的に、
前記１つのアップリンク制御チャネルリソースに対応するチャネルフォーマットが第２種類のチャネルフォーマットである場合、前記第１アップリンク制御情報が、受信された物理ダウンリンク共有チャネルに対応するフィードバック情報であることを確定することに用いられ、
前記第２種類のチャネルフォーマットで搬送可能な最大ビット数が第１閾値以下であることを特徴とする
請求項１３又は１４に記載の端末装置。
【請求項１７】
前記通信ユニットは、更に、
目標時間ユニット集合において１つの物理ダウンリンク共有チャネルを受信し、又は、
前記目標時間ユニット集合において複数の物理ダウンリンク共有チャネルを受信することに用いられ、前記複数の物理ダウンリンク共有チャネルの数が前記第１閾値以下であり、各物理ダウンリンク共有チャネルが１つの伝送ブロックを搬送し、
前記目標時間ユニット集合に少なくとも１つの時間ユニットが含まれ、前記１つのアップリンク制御チャネルリソースが、前記目標時間ユニット内で受信した物理ダウンリンク共有チャネルに対応するフィードバック情報を搬送することに用いられることを特徴とする
請求項１６に記載の端末装置。
【請求項１８】
第１閾値の値が２であることを特徴とする
請求項１３〜１７のいずれか１項に記載の端末装置。
【請求項１９】
ネットワーク機器であって、
上位層パラメータによって確定された第１ビット数に基づいてアップリンク制御チャネルリソース集合を確定するための確定ユニットを備え、
前記確定ユニットは、更に、前記アップリンク制御チャネルリソース集合において１つのアップリンク制御チャネルリソースを確定することに用いられ、前記１つのアップリンク制御チャネルリソースが、端末装置から送信された第１アップリンク制御情報を受信することに用いられ、
前記確定ユニットは、更に、前記１つのアップリンク制御チャネルリソースに対応するチャネルフォーマットに基づき、受信対象の第１アップリンク制御情報を確定することに用いられ、前記第１アップリンク制御情報の占有したビット数が前記第１ビット数以下であり、
前記通信ユニットは、更に、前記チャネルフォーマットを利用して前記１つのアップリンク制御チャネルリソースにおいて、前記端末装置から送信された前記第１アップリンク制御情報を検出することに用いられることを特徴とする、前記ネットワーク機器。
【請求項２０】
前記第１ビット数が第１閾値以上であることを特徴とする
請求項１９に記載のネットワーク機器。
【請求項２１】
前記確定ユニットは、具体的に、
前記１つのアップリンク制御チャネルリソースに対応するチャネルフォーマットが第１種類のチャネルフォーマットである場合、前記第１アップリンク制御情報の占有したビット数が前記第１ビット数に等しいことを確定することに用いられ、
前記第１種類のチャネルフォーマットで搬送可能な最大ビット数が第１閾値より大きいことを特徴とする
請求項１９又は２０に記載のネットワーク機器。
【請求項２２】
前記確定ユニットは、具体的に、
前記１つのアップリンク制御チャネルリソースに対応するチャネルフォーマットが第２種類のチャネルフォーマットである場合、前記第１アップリンク制御情報が、送信された物理ダウンリンク共有チャネルに対応するフィードバック情報であることを確定することに用いられ、
前記第２種類のチャネルフォーマットで搬送可能な最大ビット数が第１閾値以下であることを特徴とする
請求項１９又は２０に記載のネットワーク機器。
【請求項２３】
前記通信ユニットは、更に、
目標時間ユニット集合において１つの物理ダウンリンク共有チャネルを送信し、又は、
目標時間ユニット集合において少なくとも１つの物理ダウンリンク共有チャネルを送信することに用いられ、前記少なくとも１つの物理ダウンリンク共有チャネルの数が前記第１閾値以下であり、且つ各物理ダウンリンク共有チャネルが１つの伝送ブロックを搬送し、
前記目標時間ユニット集合に少なくとも１つの時間ユニットが含まれ、前記１つのアップリンク制御チャネルリソースが、前記目標時間ユニット内で送信した物理ダウンリンク共有チャネルに対応するフィードバック情報を搬送することに用いられることを特徴とする
請求項２２に記載のネットワーク機器。
【請求項２４】
第１閾値の値が２であることを特徴とする
請求項１９〜２３のいずれか１項に記載のネットワーク機器。
【発明の詳細な説明】
【技術分野】
【０００１】
本願の実施例は通信分野に関し、且つより具体的に、アップリンク制御情報の伝送方法及び装置に関する。
【背景技術】
【０００２】
新無線（ＮＲ：Ｎｅｗ  Ｒａｄｉｏ）システムとも称される５Ｇシステムにおいて、複数のアップリンク制御チャネルのチャネルフォーマットをサポートし、異なるチャネルフォーマットに、対応するビット数のアップリンク制御情報が含まれることができる。端末装置は、ネットワーク機器の構成によってアップリンク制御情報を伝送するためのアップリンク制御チャネルを選択して、該アップリンク制御チャネルに対応するチャネルフォーマットを用いて該アップリンク制御情報を伝送することができる。しかしながら、上位層パラメータによって確定されたアップリンク制御情報のビット数が実際にスケジューリングされたアップリンク制御情報のビット数にマッチングしない場合、不必要なビットオーバーヘッドが発生し、このため、アップリンク制御情報の伝送効率に悪影響を与えてしまう。
【発明の概要】
【発明が解決しようとする課題】
【０００３】
本願の実施例はアップリンク制御情報の伝送効率を向上させることのできるアップリンク制御情報の伝送方法及び装置を提供する。
【課題を解決するための手段】
【０００４】
第１態様に係るアップリンク制御情報の伝送方法であって、端末装置は、上位層パラメータによって確定された第１ビット数に基づいてアップリンク制御チャネルリソース集合を確定することと、前記端末装置は、ネットワーク機器から送信された、前記アップリンク制御チャネルリソース集合内の１つのアップリンク制御チャネルリソースを示すための構成情報を受信することと、前記端末装置は、前記１つのアップリンク制御チャネルリソースに対応するチャネルフォーマットに基づき、伝送対象の第１アップリンク制御情報を確定し、前記第１アップリンク制御情報の占有したビット数が前記第１ビット数以下であることと、前記端末装置が前記１つのアップリンク制御チャネルリソースにおいて、前記チャネルフォーマットを用いて前記第１アップリンク制御情報を伝送することと、を含む。
【０００５】
従って、端末装置がアップリンク制御チャネルリソースに対応するチャネルフォーマットに基づいて伝送対象のアップリンク制御情報を確定し、実際に伝送されたアップリンク制御情報のビット数を上位層パラメータによって確定されたアップリンク制御情報のビット数以下にし、それにより不必要なビットオーバーヘッドを避け、アップリンク制御情報の伝送効率を向上させる。
【０００６】
可能な実現方式では、前記第１ビット数が第１閾値以上である。
【０００７】
例えば、前記第１閾値が２に等しい。
【０００８】
可能な実現方式では、前記端末装置は、前記１つのアップリンク制御チャネルリソースに対応するチャネルフォーマットに基づき、伝送対象の第１アップリンク制御情報を確定することは、前記１つのアップリンク制御チャネルリソースに対応するチャネルフォーマットが第１種類のチャネルフォーマットである場合、前記端末装置は、前記第１アップリンク制御情報の占有したビット数が前記第１ビット数に等しいことを確定し、前記第１種類のチャネルフォーマットで搬送可能な最大ビット数が第１閾値より大きいことを含む。
【０００９】
可能な実現方式では、前記端末装置は、前記１つのアップリンク制御チャネルリソースに対応するチャネルフォーマットに基づき、伝送対象の第１アップリンク制御情報を確定することは、前記１つのアップリンク制御チャネルリソースに対応するチャネルフォーマットが第２種類のチャネルフォーマットである場合、前記端末装置は、前記第１アップリンク制御情報が、受信された物理ダウンリンク共有チャネルに対応するフィードバック情報であることを確定し、前記第２種類のチャネルフォーマットで搬送可能な最大ビット数が第１閾値以下であることを含む。
【００１０】
可能な実現方式では、前記端末装置が、前記第１アップリンク制御情報が、受信された物理ダウンリンク共有チャネルに対応するフィードバック情報であることを確定する前に、前記方法は、更に、前記端末装置は、目標時間ユニット集合において１つの物理ダウンリンク共有チャネルを受信し、又は、前記端末装置が前記目標時間ユニット集合において複数の物理ダウンリンク共有チャネルを受信し、前記複数の物理ダウンリンク共有チャネルの数が前記第１閾値以下であり、各物理ダウンリンク共有チャネルが１つの伝送ブロックを搬送し、前記目標時間ユニット集合に少なくとも１つの時間ユニットが含まれ、前記１つのアップリンク制御チャネルリソースが、前記目標時間ユニット内で受信した物理ダウンリンク共有チャネルに対応するフィードバック情報を搬送することに用いられることを含む。
【００１１】
第２態様に係るアップリンク制御情報の伝送方法であって、ネットワーク機器は、上位層パラメータによって確定された第１ビット数に基づいてアップリンク制御チャネルリソース集合を確定することと、前記ネットワーク機器は、前記アップリンク制御チャネルリソース集合において１つのアップリンク制御チャネルリソースを確定し、前記１つのアップリンク制御チャネルリソースが、端末装置から送信された第１アップリンク制御情報を受信することに用いられることと、前記ネットワーク機器は、前記１つのアップリンク制御チャネルリソースに対応するチャネルフォーマットに基づき、受信対象の第１アップリンク制御情報を確定し、前記第１アップリンク制御情報の占有したビット数が前記第１ビット数以下であることと、前記ネットワーク機器は、前記チャネルフォーマットを用いて前記１つのアップリンク制御チャネルリソースにおいて、前記端末装置から送信された前記第１アップリンク制御情報を検出することと、を含む。
【００１２】
従って、ネットワーク機器がアップリンク制御チャネルリソースに対応するチャネルフォーマットに基づいて端末装置から送信されたアップリンク制御情報を受信し、且つ実際に受信されたアップリンク制御情報のビット数が上位層パラメータによって確定されたアップリンク制御情報のビット数以下であり、それにより不必要なビットオーバーヘッドを避け、アップリンク制御情報の伝送効率を向上させる。
【００１３】
可能な実現方式では、前記第１ビット数が第１閾値以上である。
【００１４】
可能な実現方式では、前記ネットワーク機器は、前記１つのアップリンク制御チャネルリソースに対応するチャネルフォーマットに基づき、受信対象の第１アップリンク制御情報を確定することは、前記１つのアップリンク制御チャネルリソースに対応するチャネルフォーマットが第１種類のチャネルフォーマットである場合、前記ネットワーク機器が、前記第１アップリンク制御情報の占有したビット数が前記第１ビット数に等しいことを確定し、前記第１種類のチャネルフォーマットで搬送可能な最大ビット数が第１閾値より大きいことを含む。
【００１５】
可能な実現方式では、前記ネットワーク機器は、前記１つのアップリンク制御チャネルリソースに対応するチャネルフォーマットに基づき、受信対象の第１アップリンク制御情報を確定することは、前記１つのアップリンク制御チャネルリソースに対応するチャネルフォーマットが第２種類のチャネルフォーマットである場合、前記ネットワーク機器は、前記第１アップリンク制御情報が、送信された物理ダウンリンク共有チャネルに対応するフィードバック情報であることを確定し、前記第２種類のチャネルフォーマットで搬送可能な最大ビット数が第１閾値以下であることを含む。
【００１６】
可能な実現方式では、前記ネットワーク機器は前記第１アップリンク制御情報が、送信された物理ダウンリンク共有チャネルに対応するフィードバック情報であることを確定する前に、前記方法は、更に、前記ネットワーク機器は、目標時間ユニット集合において１つの物理ダウンリンク共有チャネルを送信し、又は、前記ネットワーク機器は、目標時間ユニット集合において少なくとも１つの物理ダウンリンク共有チャネルを送信し、前記少なくとも１つの物理ダウンリンク共有チャネルの数が前記第１閾値以下であり、且つ各物理ダウンリンク共有チャネルが１つの伝送ブロックを搬送し、前記目標時間ユニット集合に少なくとも１つの時間ユニットが含まれ、前記１つのアップリンク制御チャネルリソースが、前記目標時間ユニット内で送信した物理ダウンリンク共有チャネルに対応するフィードバック情報を搬送することに用いられることを含む。
【００１７】
可能な実現方式では、第１閾値の値が２である。
【００１８】
第３態様に係る端末装置であって、該端末装置は上記第１態様又は第１態様の任意の可能な実現方式における端末装置の操作を実行することができる。具体的に、該端末装置は上記第１態様又は第１態様の任意の可能な実現方式における端末装置の操作を実行するためのモジュールユニットを備えてもよい。
【００１９】
第４態様に係るネットワーク機器であって、該ネットワーク機器は上記第１態様又は第１態様の任意の可能な実現方式におけるネットワーク機器的操作を実行することができる。具体的に、該ネットワーク機器は上記第２態様又は第２態様の任意の可能な実現方式におけるネットワーク機器の操作を実行するためのモジュールユニットを備えてもよい。
【００２０】
第５態様に係る端末装置であって、該端末装置はプロセッサ、送受信機及びメモリを備える。該プロセッサ、送受信機及びメモリが内部接続通路によって互いに通信する。該メモリが命令を記憶することに用いられ、該プロセッサが該メモリに記憶される命令を実行することに用いられる。該プロセッサが該メモリに記憶される命令を実行するとき、該実行によって該端末装置が第１態様又は第１態様の任意の可能な実現方式における方法を実行し、又は、該実行によって該端末装置が第２態様に係る端末装置を実現する。
【００２１】
第６態様に係るネットワーク機器であって、該ネットワーク機器はプロセッサ、送受信機及びメモリを備える。該プロセッサ、送受信機及びメモリが内部接続通路によって互いに通信する。該メモリが命令を記憶することに用いられ、該プロセッサが該メモリに記憶される命令を実行することに用いられる。該プロセッサが該メモリに記憶される命令を実行するとき、該実行によって該ネットワーク機器が第２態様又は第２態様の任意の可能な実現方式における方法を実行し、又は、該実行によって該ネットワーク機器が第４態様に係るネットワーク機器を実現する。
【００２２】
第７態様に係るシステムチップであって、該システムチップは入力インターフェース、出力インターフェース、プロセッサ及びメモリを備え、該プロセッサが該メモリに記憶される命令を実行することに用いられ、該命令が実行されるとき、該プロセッサは上記第１態様又は第１態様の任意の可能な実現方式における方法を実現することができる。
【００２３】
第８態様に係るシステムチップであって、該システムチップは入力インターフェース、出力インターフェース、プロセッサ及びメモリを備え、該プロセッサが該メモリに記憶される命令を実行することに用いられ、該命令が実行されるとき、該プロセッサは上記第２態様又は第２態様の任意の可能な実現方式における方法を実現することができる。
【００２４】
第９態様に係る命令を含むコンピュータプログラム製品であって、前記コンピュータプログラム製品がコンピュータにおいて実行されるとき、該コンピュータが上記第１態様又は第１態様の任意の可能な実現方式における方法を実行する。
【００２５】
第１０態様に係る命令を含むコンピュータプログラム製品であって、前記コンピュータプログラム製品がコンピュータにおいて実行されるとき、該コンピュータが上記第２態様又は第２態様の任意の可能な実現方式における方法を実行する。
【図面の簡単な説明】
【００２６】
【図１】図１は本願の実施例に適用される無線通信システムの模式図である。
【図２】図２は本願の実施例のアップリンク制御情報の伝送方法の模式的なフローチャートである。
【図３】図３は本願の実施例のアップリンク制御情報の伝送方法の模式的なフローチャートである。
【図４】図４は本願の実施例の端末装置の模式的なブロック図である。
【図５】図５は本願の実施例のネットワーク機器の模式的なブロック図である。
【図６】図６は本願の実施例の通信装置の構造模式図である。
【図７】図７は本願の実施例のシステムチップの構造模式図である。
【発明を実施するための形態】
【００２７】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００２８】
図１には本願の実施例に適用される無線通信システム１００を示す。該無線通信システム１００はネットワーク機器１１０を備えてもよい。ネットワーク機器１００は端末装置と通信する機器であってもよい。ネットワーク機器１００は特定の地理的領域に通信カバレッジを提供することができ、且つ該カバレッジ領域内の端末装置（例えば、ＵＥ）と通信することができる。好ましくは、該ネットワーク機器１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は、該ネットワーク機器は中継所、アクセスポイント、車載装置、ウェアラブル端末、将来の５Ｇネットワークにおけるネットワーク側機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００２９】
該無線通信システム１００は更にネットワーク機器１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。好ましくは、端末装置１２０同士が装置対装置（Ｄ２Ｄ：Ｄｅｖｉｃｅ  ｔｏ  Ｄｅｖｉｃｅ）通信を行うこともできる。
【００３０】
図１には１つのネットワーク機器及び２つの端末装置を例示的に示し、好ましくは、該無線通信システム１００は複数のネットワーク機器を備えてもよく、且つ各ネットワーク機器のカバレッジ範囲内に他の数の端末装置が含まれてもよく、本願の実施例は制限しない。
【００３１】
好ましくは、該無線通信システム１００は更にネットワークコントローラ、モビリティ管理エンティティ等の他のネットワークエンティティを備えてもよく、本願の実施例は制限しない。
【００３２】
ＮＲシステムにおいて、５つの物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）のチャネルフォーマット（ｆｏｒｍａｔ）、すなわちＰＵＣＣＨ  ｆｏｒｍａｔ０、ＰＵＣＣＨ  ｆｏｒｍａｔ１、ＰＵＣＣＨ  ｆｏｒｍａｔ２、ＰＵＣＣＨ  ｆｏｒｍａｔ３及びＰＵＣＣＨ  ｆｏｒｍａｔ４をサポートすることができる。ＰＵＣＣＨ  ｆｏｒｍａｔ０及びＰＵＣＣＨ  ｆｏｒｍａｔ１には１ビット又は２ビットのアップリンク制御情報（ＵＣＩ：Ｕｐｌｉｎｋ  Ｃｏｎｔｒｏｌ  Ｉｎｆｏｒｍａｔｉｏｎ）が含まれてもよく、ＰＵＣＣＨ  ｆｏｒｍａｔ２、ＰＵＣＣＨ  ｆｏｒｍａｔ３及びＰＵＣＣＨ  ｆｏｒｍａｔ４には２ビット以上のアップリンク制御情報が含まれてもよい。
【００３３】
端末装置はネットワーク機器の構成によってアップリンク制御情報を伝送するためのアップリンク制御チャネルリソースを選択して、該アップリンク制御チャネルリソースに対応するチャネルフォーマットを用いて該アップリンク制御情報を伝送することができる。しかしながら、上位層パラメータによって確定されたアップリンク制御情報のビット数が実際にスケジューリングされたアップリンク制御情報のビット数にマッチングしない場合、不必要なビットオーバーヘッドが発生し、このため、アップリンク制御情報の伝送効率に悪影響を与えてしまう。
【００３４】
本願の実施例において、端末装置がアップリンク制御チャネルリソースに対応するチャネルフォーマットに基づいて伝送対象のアップリンク制御情報を確定し、実際に伝送されたアップリンク制御情報のビット数を上位層パラメータによって確定されたアップリンク制御情報のビット数以下にし、それにより不必要なビットオーバーヘッドを避け、アップリンク制御情報の伝送効率を向上させる。
【００３５】
図２は本願の実施例のアップリンク制御情報の伝送方法の模式的なフローチャートである。図２に示される端末装置は例えば図１に示される端末装置１２０であってもよい。図２に示すように、該アップリンク制御情報の伝送方法は以下の一部又は全部を含む。
【００３６】
２１０において、端末装置が第１ビット数に基づいてアップリンク制御チャネルリソース集合を確定する。
【００３７】
該第１ビット数が上位層パラメータによって確定されたものである。該第１ビット数は端末装置が半静的に確定したものであると理解される。
【００３８】
例えば、端末装置がネットワーク機器の指示によって、ＡＣＫ／ＮＡＣＫフィードバックシーケンス集合から最大フィードバックシーケンス及び最小フィードバックシーケンスを選択して、最大フィードバックシーケンスと最小フィードバックシーケンスとの差値に基づき、該第１ビット数を半静的に確定する。
【００３９】
更に、例えば、該第１ビット数がプロトコルにおいて決められたものであってもよい。
【００４０】
２２０において、該端末装置は、ネットワーク機器から送信された、該アップリンク制御チャネルリソース集合内の１つのアップリンク制御チャネルリソースを示すための構成情報を受信する。
【００４１】
２３０において、該端末装置は、該１つのアップリンク制御チャネルリソースに対応するチャネルフォーマットに基づき、伝送対象の第１アップリンク制御情報を確定し、該第１アップリンク制御情報の占有したビット数が該第１ビット数以下である。
【００４２】
２４０において、該端末装置は、該チャネルフォーマットを用いて該１つのアップリンク制御チャネルリソースにおいて該第１アップリンク制御情報を伝送する。
【００４３】
具体的に、ネットワーク機器は端末装置に少なくとも１つのアップリンク制御チャネルリソース集合を予め構成することができ、各アップリンク制御チャネルリソース集合に少なくとも１つのアップリンク制御チャネルリソースが含まれ、該端末装置は上位層パラメータに基づいてアップリンク制御情報のサイズ、すなわち該第１ビット数を確定し、少なくとも１つのアップリンク制御チャネルリソース集合から１つのＰＵＣＣＨリソース集合を選択することができる。伝送対象の第１アップリンク制御情報を確定するために、該端末装置は該ネットワーク機器から送信された構成情報によって、該ＰＵＣＣＨリソース集合から１つのアップリンク制御チャネルリソースを選択する。該端末装置は選択された該アップリンク制御チャネルリソースに対応するチャネルフォーマットに基づき、伝送対象の該第１アップリンク制御情報の関連情報、例えば該第１アップリンク制御情報を実際に伝送する際に用いたビット数又は該第１アップリンク制御情報の内容等を確定し、該第１アップリンク制御情報を実際に伝送する際に占有したビット数を該第１ビット数以下にする。それにより該端末装置は該アップリンク制御チャネルリソースに対応するチャネルフォーマットを用いて、該アップリンク制御チャネルリソースにおいて該第１アップリンク制御情報を伝送する。
【００４４】
好ましくは、該第１ビット数が第１閾値以上である。
【００４５】
該第１閾値はネットワーク機器が端末装置のために構成されたもの、又は端末装置とネットワーク機器とが予め決めたもの、例えばプロトコルにおいて規定した且つ端末装置に予め記憶されたものであってもよい。
【００４６】
本願の実施例は端末装置が選択されたアップリンク制御チャネルリソースに対応するチャネルフォーマットに基づいて伝送対象の第１アップリンク制御情報を確定するための２つの方式を提供し、以下にそれぞれ説明する。
【００４７】
方式１
好ましくは、２３０では、該端末装置は、該１つのアップリンク制御チャネルリソースに対応するチャネルフォーマットに基づき、伝送対象の第１アップリンク制御情報を確定することは、該１つのアップリンク制御チャネルリソースに対応するチャネルフォーマットが第１種類のチャネルフォーマットである場合、該端末装置が、該第１アップリンク制御情報の占有したビット数が該第１ビット数に等しいことを確定することを含む。
【００４８】
該第１種類のチャネルフォーマットで搬送可能な最大ビット数が第１閾値より大きい。
【００４９】
つまり、端末装置の選択した第１アップリンク制御情報を伝送するためのアップリンク制御チャネルリソースに対応するチャネルフォーマットが第１閾値より大きい場合、該端末装置が第１ビット数のビットを用いて該第１アップリンク制御情報を伝送し、つまり、該第１アップリンク制御情報を実際に伝送する際に占有したビット数が上位層パラメータによって確定された該第１ビット数である。
【００５０】
例えば、表１を例として、第１閾値が２に等しいと仮定し、ネットワーク機器が端末装置のために２つのＰＵＣＣＨリソース集合、すなわちＰＵＣＣＨリソース集合１及びＰＵＣＣＨリソース集合２を構成し、各リソース集合には番号０〜番号３の４つのＰＵＣＣＨリソースが含まれる。且つ、ＰＵＣＣＨ  ｆｏｒｍａｔ０及びＰＵＣＣＨ  ｆｏｒｍａｔ１は１ビット又は２ビットのアップリンク制御情報を持つことに用いられ、ＰＵＣＣＨ  ｆｏｒｍａｔ２、ＰＵＣＣＨ  ｆｏｒｍａｔ３及びＰＵＣＣＨ  ｆｏｒｍａｔ４は２ビット以上のアップリンク制御情報を持つことができる。該端末装置はまずその半静的に確定されたアップリンク制御情報のサイズに基づき、ＰＵＣＣＨリソース集合を選択し、例えば、レベルパラメータによって確定された該アップリンク制御情報のサイズが２ビット以下である場合、該端末装置がＰＵＣＣＨリソース集合１を選択し、上位層パラメータによって確定された該アップリンク制御情報のサイズが２ビットより大きい場合、該端末装置がＰＵＣＣＨリソース集合２を選択する。
【００５１】
半静的（Ｓｅｍｉ−Ｓｔａｔｉｃ）のハイブリッド自動再送要求アクノレッジ（ＨＡＲＱ−ＡＣＫ：Ｈｙｂｒｉｄ  Ａｕｔｏｍａｔｉｃ  Ｒｅｑｕｅｓｔ−ＡＣＫｎｏｗｌｅｄｇｅｍｅｎｔ）コードブック（ｃｏｄｅｂｏｏｋ）を構成した端末装置、すなわち情報をフィードバックする際に用いたビット数が上位層パラメータによって半静的に確定された端末装置は、ｓｅｍｉ−ｓｔａｔｉｃ  ＨＡＲＱ−ＡＣＫ  ｃｏｄｅｂｏｏｋの値に基づいてＰＵＣＣＨリソース集合を確定することができ、例えば、ｓｅｍｉ−ｓｔａｔｉｃ  ＨＡＲＱ−ＡＣＫ  ｃｏｄｅｂｏｏｋの値が１０である場合、該端末がＰＵＣＣＨリソース集合２を選択する。
【表１】
2021516458.tif 000003
【００５２】
端末装置がＰＵＣＣＨリソース集合２を選択したと仮定する場合、該端末装置はネットワーク機器から送信されたダウンリンク制御シグナリングに基づき、ＰＵＣＣＨリソース集合２からアップリンク制御情報を伝送するためのＰＵＣＣＨリソースを選択することができる。
【００５３】
該ダウンリンク制御シグナリングが番号２のＰＵＣＣＨリソースを示す場合、番号２のＰＵＣＣＨリソースに対応するチャネルフォーマットがＰＵＣＣＨ  ｆｏｒｍａｔ３であるが、ＰＵＣＣＨ  ｆｏｒｍａｔ３には２ビット以上のアップリンク制御情報が含まれてもよく、且つ第１閾値が２に等しいため、ＰＵＣＣＨ  ｆｏｒｍａｔ  ３に含まれる最大ビット数が第１閾値２より大きいので、該端末装置がＰＵＣＣＨ  ｆｏｒｍａｔ３を用いてリソースｃにおいて１０ビットのフィードバック情報を伝送し、１０ビットが上位層パラメータによって確定された第１ビット数、すなわちｓｅｍｉ−ｓｔａｔｉｃ  ＨＡＲＱ−ＡＣＫ  ｃｏｄｅｂｏｏｋの値である。
【００５４】
方式２
好ましくは、２３０では、該端末装置は、該１つのアップリンク制御チャネルリソースに対応するチャネルフォーマットに基づき、伝送対象の第１アップリンク制御情報を確定することは、該１つのアップリンク制御チャネルリソースに対応するチャネルフォーマットが第２種類のチャネルフォーマットである場合、該端末装置が、該第１アップリンク制御情報が、受信された物理ダウンリンク共有チャネルに対応するフィードバック情報であることを確定する。
【００５５】
該第２種類のチャネルフォーマットで搬送可能な最大ビット数が第１閾値以下である。
【００５６】
つまり、端末装置の選択した第１アップリンク制御情報を伝送するためのアップリンク制御チャネルリソースに対応するチャネルフォーマットが第１閾値以下である場合、該端末装置は実際に受信された物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）に対しフィードバックし、つまり、該第１アップリンク制御情報が該端末装置の受信したＰＤＳＣＨに対応するフィードバック情報であり、この時、該第１アップリンク制御情報の占有したビット数が端末装置の受信したＰＤＳＣＨの数によって決定される。
【００５７】
好ましくは、該端末装置は該第１アップリンク制御情報が、受信された物理ダウンリンク共有チャネルに対応するフィードバック情報であることを確定する前に、該方法は、更に、該端末装置は、目標時間ユニット集合において１つの物理ダウンリンク共有チャネルを受信し、又は、該端末装置が該目標時間ユニット集合において少なくとも１つの物理ダウンリンク共有チャネルを受信し、該少なくとも１つの物理ダウンリンク共有チャネルの数が該第１閾値以下であり、且つ各物理ダウンリンク共有チャネルが１つの伝送ブロックを搬送することを含む。
【００５８】
ここで、前記目標時間ユニット集合に少なくとも１つの時間ユニットが含まれ、端末装置がネットワーク機器から送信された該構成情報によって選択されたアップリンク制御チャネルリソースは該目標時間ユニット内で受信した物理ダウンリンク共有チャネルに対応するフィードバック情報を搬送することに用いられる。
【００５９】
例えば、依然として表１を例として、第１閾値が２に等しいと仮定し、端末装置がＰＵＣＣＨリソース集合２を選択し、且つネットワーク機器が端末装置へ番号０のＰＵＣＣＨリソースを示すダウンリンク制御シグナリングを送信し、番号０のＰＵＣＣＨリソースに対応するチャネルフォーマットがＰＵＣＣＨ  ｆｏｒｍａｔ０であるが、ＰＵＣＣＨ  ｆｏｒｍａｔ０には１ビット又は２ビットのアップリンク制御情報が含まれてもよいため、ＰＵＣＣＨ  ｆｏｒｍａｔ  ０に含まれる最大ビット数２が第１閾値２に等しいので、該端末装置の受信したＰＤＳＣＨの数が第１閾値２より小さい場合、該端末装置が実際に受信されたＰＤＳＣＨに対しフィードバックする。該端末装置が１つのＰＤＳＣＨを受信した場合、該端末装置がＰＵＣＣＨ  ｆｏｒｍａｔ０を用いてリソースａにおいてネットワーク機器へこの１つのみの物理ダウンリンク共有チャネルに対応するフィードバック情報を送信し、つまり、１ビットのフィードバック情報を伝送し、該端末装置が２つのＰＤＳＣＨを受信した場合、該端末装置がＰＵＣＣＨ  ｆｏｒｍａｔ０を用いてリソースａにおいてネットワーク機器へこの２つの物理ダウンリンク共有チャネルに対応するフィードバック情報を送信し、つまり、２ビットのフィードバック情報を伝送する。
【００６０】
従って、端末装置がアップリンク制御チャネルリソースに対応するチャネルフォーマットに基づき、伝送対象のアップリンク制御情報を確定し、実際に伝送されたアップリンク制御情報のビット数を上位層パラメータによって確定されたアップリンク制御情報のビット数以下にする。例えば、使用対象の該アップリンク制御チャネルリソースに対応するチャネルフォーマットで搬送可能な最大ビット数が第１閾値より大きい場合、上位層パラメータによって確定されたアップリンク制御情報のビット数に基づいてアップリンク制御情報を送信するが、該アップリンク制御チャネルリソースに対応するチャネルフォーマットに含まれるビット数が該第１閾値以下である場合、実際に受信された物理ダウンリンク共有チャネルに対しフィードバックする。それにより不必要なビットオーバーヘッドを避け、アップリンク制御情報の伝送効率を向上させる。
【００６１】
図３は本願の実施例のアップリンク制御情報の伝送方法の模式的なフローチャートである。図３に示されるネットワーク機器は例えば図１に示されるネットワーク機器１１０であってもよい。図３に示すように、該アップリンク制御情報の伝送方法は以下の一部又は全部を含む。
【００６２】
３１０において、ネットワーク機器は、上位層パラメータによって確定された第１ビット数に基づいてアップリンク制御チャネルリソース集合を確定する。
【００６３】
３２０において、前記ネットワーク機器は、前記アップリンク制御チャネルリソース集合において１つのアップリンク制御チャネルリソースを確定し、前記１つのアップリンク制御チャネルリソースが、端末装置から送信された第１アップリンク制御情報を受信することに用いられる。
【００６４】
３３０において、前記ネットワーク機器は、前記１つのアップリンク制御チャネルリソースに対応するチャネルフォーマットに基づき、受信対象の第１アップリンク制御情報を確定し、前記第１アップリンク制御情報の占有したビット数が前記第１ビット数以下である。
【００６５】
３４０において、前記ネットワーク機器は、前記チャネルフォーマットを用いて前記１つのアップリンク制御チャネルリソースにおいて、前記端末装置から送信された前記第１アップリンク制御情報を検出する。
【００６６】
従って、ネットワーク機器がアップリンク制御チャネルリソースに対応するチャネルフォーマットに基づいて端末装置から送信されたアップリンク制御情報を受信し、且つ実際に受信されたアップリンク制御情報のビット数が上位層パラメータによって確定されたアップリンク制御情報のビット数以下であり、それにより不必要なビットオーバーヘッドを避け、アップリンク制御情報の伝送効率を向上させる。
【００６７】
好ましくは、前記第１ビット数が第１閾値以上である。
【００６８】
好ましくは、前記ネットワーク機器は、前記１つのアップリンク制御チャネルリソースに対応するチャネルフォーマットに基づき、受信対象の第１アップリンク制御情報を確定することは、前記１つのアップリンク制御チャネルリソースに対応するチャネルフォーマットが第１種類のチャネルフォーマットである場合、前記ネットワーク機器が、前記第１アップリンク制御情報の占有したビット数が前記第１ビット数に等しいことを確定し、前記第１種類のチャネルフォーマットで搬送可能な最大ビット数が第１閾値より大きいことを含む。
【００６９】
好ましくは、前記ネットワーク機器は、前記１つのアップリンク制御チャネルリソースに対応するチャネルフォーマットに基づき、受信対象の第１アップリンク制御情報を確定することは、前記１つのアップリンク制御チャネルリソースに対応するチャネルフォーマットが第２種類のチャネルフォーマットである場合、前記ネットワーク機器は、前記第１アップリンク制御情報が、送信された物理ダウンリンク共有チャネルに対応するフィードバック情報であることを確定し、前記第２種類のチャネルフォーマットで搬送可能な最大ビット数が第１閾値以下であることを含む。
【００７０】
好ましくは、前記ネットワーク機器は前記第１アップリンク制御情報が、送信された物理ダウンリンク共有チャネルに対応するフィードバック情報であることを確定する前に、前記方法は、更に、前記ネットワーク機器は、目標時間ユニット集合において１つの物理ダウンリンク共有チャネルを送信し、又は、前記ネットワーク機器は、目標時間ユニット集合において少なくとも１つの物理ダウンリンク共有チャネルを送信し、前記少なくとも１つの物理ダウンリンク共有チャネルの数が前記第１閾値以下であり、且つ各物理ダウンリンク共有チャネルが１つの伝送ブロックを搬送し、前記目標時間ユニット集合に少なくとも１つの時間ユニットが含まれ、前記１つのアップリンク制御チャネルリソースが、前記目標時間ユニット内で送信した物理ダウンリンク共有チャネルに対応するフィードバック情報を搬送することに用いられることを含む。
【００７１】
好ましくは、第１閾値の値が２である。
【００７２】
ネットワーク機器がアップリンク制御情報を受信する具体的な過程は、上記図２における端末装置についての説明を参照してもよく、簡潔のため、ここで詳細な説明は省略すると理解すべきである。
【００７３】
本願の様々な実施例において、上記各過程の番号の順位は実行順序の前後を意味せず、各過程の実行順序はその機能及び内部論理によって確定されるべきであり、本願の実施例の実施過程を制限するためのものではないと更に理解すべきである。
【００７４】
以上は本願の実施例に係るアップリンク制御情報の伝送方法を詳しく説明したが、以下に図３〜図７を参照して本願の実施例に係る装置を説明し、方法実施例において説明された技術的特徴は以下の装置実施例に適用される。
【００７５】
図４は本願の実施例に係る端末装置４００の模式的なブロック図である。図４に示すように、該端末装置４００は確定ユニット４１０及び通信ユニット４２０を備える。
【００７６】
確定ユニット４１０は、上位層パラメータによって確定された第１ビット数に基づいてアップリンク制御チャネルリソース集合を確定することに用いられ、
通信ユニット４２０は、ネットワーク機器から送信された、前記確定ユニット４１０の確定した前記アップリンク制御チャネルリソース集合内の１つのアップリンク制御チャネルリソースを示すための構成情報を受信することに用いられ、
前記確定ユニット４１０は、更に、前記１つのアップリンク制御チャネルリソースに対応するチャネルフォーマットに基づき、伝送対象の第１アップリンク制御情報を確定することに用いられ、前記第１アップリンク制御情報の占有したビット数が前記第１ビット数以下であり、
前記通信ユニット４２０は、更に、前記１つのアップリンク制御チャネルリソースにおいて、前記チャネルフォーマットを用いて前記確定ユニット４１０の確定した前記第１アップリンク制御情報を伝送することに用いられる。
【００７７】
従って、端末装置がアップリンク制御チャネルリソースに対応するチャネルフォーマットに基づき、伝送対象のアップリンク制御情報を確定し、実際に伝送されたアップリンク制御情報のビット数を上位層パラメータによって確定されたアップリンク制御情報のビット数以下にする。例えば、使用対象の該アップリンク制御チャネルリソースに対応するチャネルフォーマットで搬送可能な最大ビット数が第１閾値より大きい場合、上位層パラメータによって確定されたアップリンク制御情報のビット数に基づいてアップリンク制御情報を送信するが、該アップリンク制御チャネルリソースに対応するチャネルフォーマットに含まれるビット数が該第１閾値以下である場合、実際に受信された物理ダウンリンク共有チャネルに対しフィードバックする。それにより不必要なビットオーバーヘッドを避け、アップリンク制御情報の伝送効率を向上させる。
【００７８】
好ましくは、前記第１ビット数が第１閾値以上である。
【００７９】
好ましくは、前記確定ユニット４１０は、具体的に、前記１つのアップリンク制御チャネルリソースに対応するチャネルフォーマットが第１種類のチャネルフォーマットである場合、前記第１アップリンク制御情報の占有したビット数が前記第１ビット数に等しいことを確定することに用いられ、前記第１種類のチャネルフォーマットで搬送可能な最大ビット数が第１閾値より大きい。
【００８０】
好ましくは、前記確定ユニット４１０は、具体的に、前記１つのアップリンク制御チャネルリソースに対応するチャネルフォーマットが第２種類のチャネルフォーマットである場合、前記第１アップリンク制御情報が、受信された物理ダウンリンク共有チャネルに対応するフィードバック情報であることを確定することに用いられ、前記第２種類のチャネルフォーマットで搬送可能な最大ビット数が第１閾値以下である。
【００８１】
好ましくは、前記通信ユニット４２０は、更に、目標時間ユニット集合において１つの物理ダウンリンク共有チャネルを受信し、又は、前記目標時間ユニット集合において複数の物理ダウンリンク共有チャネルを受信することに用いられ、前記複数の物理ダウンリンク共有チャネルの数が前記第１閾値以下であり、各物理ダウンリンク共有チャネルが１つの伝送ブロックを搬送し、前記目標時間ユニット集合に少なくとも１つの時間ユニットが含まれ、前記１つのアップリンク制御チャネルリソースが、前記目標時間ユニット内で受信した物理ダウンリンク共有チャネルに対応するフィードバック情報を搬送することに用いられる。
【００８２】
好ましくは、第１閾値の値が２である。
【００８３】
該端末装置４００は上記方法２００における端末装置の実行する対応操作を実行することができ、簡潔のため、ここで詳細な説明は省略すると理解すべきである。
【００８４】
図５は本願の実施例に係るネットワーク機器５００の模式的なブロック図である。図５に示すように、該ネットワーク機器５００は確定ユニット５１０及び通信ユニット５２０を備える。
【００８５】
確定ユニット５１０は、上位層パラメータによって確定された第１ビット数に基づいてアップリンク制御チャネルリソース集合を確定することに用いられ、
前記確定ユニット５１０は、更に、前記アップリンク制御チャネルリソース集合において、１つのアップリンク制御チャネルリソースを確定することに用いられ、前記１つのアップリンク制御チャネルリソースが、端末装置から送信された第１アップリンク制御情報を受信することに用いられ、
前記確定ユニット５１０は、更に、前記１つのアップリンク制御チャネルリソースに対応するチャネルフォーマットに基づき、受信対象の第１アップリンク制御情報を確定することに用いられ、前記第１アップリンク制御情報の占有したビット数が前記第１ビット数以下であり、
前記通信ユニット５２０は、更に、前記チャネルフォーマットを利用して前記１つのアップリンク制御チャネルリソースにおいて、前記端末装置から送信された前記第１アップリンク制御情報を検出することに用いられる。
【００８６】
従って、ネットワーク機器がアップリンク制御チャネルリソースに対応するチャネルフォーマットに基づいて端末装置から送信されたアップリンク制御情報を受信し、且つ実際に受信されたアップリンク制御情報のビット数が上位層パラメータによって確定されたアップリンク制御情報のビット数以下であり、それにより不必要なビットオーバーヘッドを避け、アップリンク制御情報の伝送効率を向上させる。
【００８７】
好ましくは、前記第１ビット数が第１閾値以上である。
【００８８】
好ましくは、前記確定ユニット５１０は、具体的に、前記１つのアップリンク制御チャネルリソースに対応するチャネルフォーマットが第１種類のチャネルフォーマットである場合、前記第１アップリンク制御情報の占有したビット数が前記第１ビット数に等しいことを確定することに用いられ、前記第１種類のチャネルフォーマットで搬送可能な最大ビット数が第１閾値より大きい。
【００８９】
好ましくは、前記確定ユニット５１０は、具体的に、前記１つのアップリンク制御チャネルリソースに対応するチャネルフォーマットが第２種類のチャネルフォーマットである場合、前記第１アップリンク制御情報が、送信された物理ダウンリンク共有チャネルに対応するフィードバック情報であることを確定することに用いられ、前記第２種類のチャネルフォーマットで搬送可能な最大ビット数が第１閾値以下である。
【００９０】
好ましくは、目標時間ユニット集合において１つの物理ダウンリンク共有チャネルを送信し、又は、目標時間ユニット集合において少なくとも１つの物理ダウンリンク共有チャネルを送信し、前記少なくとも１つの物理ダウンリンク共有チャネルの数が前記第１閾値以下であり、且つ各物理ダウンリンク共有チャネルが１つの伝送ブロックを搬送し、前記目標時間ユニット集合に少なくとも１つの時間ユニットが含まれ、前記１つのアップリンク制御チャネルリソースが、前記目標時間ユニット内で送信した物理ダウンリンク共有チャネルに対応するフィードバック情報を搬送することに用いられる。
【００９１】
好ましくは、第１閾値の値が２である。
【００９２】
該ネットワーク機器５００は上記方法３００におけるネットワーク機器の実行する対応操作を実行することができ、簡潔のため、ここで詳細な説明は省略すると理解すべきである。
【００９３】
図６は本願の実施例に係る通信装置６００の構造模式図である。図６に示すように、該通信装置はプロセッサ６１０、送受信機６２０及びメモリ６３０を備え、該プロセッサ６１０、送受信機６２０及びメモリ６３０が内部接続通路によって互いに通信する。該メモリ６３０が命令を記憶することに用いられ、該送受信機６２０が信号を受信し又は信号を送信するように制御するために、該プロセッサ６１０が該メモリ６３０に記憶される命令を実行することに用いられる。
【００９４】
好ましくは、該プロセッサ６１０はメモリ６３０に記憶されるプログラムコードを呼び出して、方法２００における端末装置の実行する対応操作を実行することができ、簡潔のため、ここで詳細な説明は省略する。
【００９５】
好ましくは、該プロセッサ６１０はメモリ６３０に記憶されるプログラムコードを呼び出して、方法３００におけるネットワーク機器の実行する対応操作を実行することができ、簡潔のため、ここで詳細な説明は省略する。
【００９６】
本願の実施例のプロセッサが信号処理機能を有する集積回路チップであってもよいと理解すべきである。実現過程において、上記方法実施例の各ステップはプロセッサにおけるハードウェアの集積論理回路又はソフトウェア形式の命令で完了してもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロック図を実現又は実行することができる。汎用プロセッサはマイクロプロセッサであってもよく、又は該プロセッサは更にいかなる通常のプロセッサ等であってもよい。本願の実施例に開示される方法のステップは、ハードウェア復号プロセッサで実行して完了し、又は復号プロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサがメモリにおける情報を読み取り、そのハードウェアと組み合わせて上記方法のステップを完了する。
【００９７】
本願の実施例におけるメモリは揮発性メモリ又は不揮発性メモリであってもよく、又は、揮発性メモリ及び不揮発性メモリを含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。制限的ではなく、例示的な説明によって、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。ただし、本願に説明されるシステム及び方法のメモリはこれらのメモリ及び任意の他の適切なタイプのメモリを含んでもよいが、それらに限らないように意図される。
【００９８】
図７は本願の実施例のシステムチップの構造模式図である。図７におけるシステムチップ７００は入力インターフェース７０１、出力インターフェース７０２、少なくとも１つのプロセッサ７０３、メモリ７０４を備え、前記入力インターフェース７０１、出力インターフェース７０２、前記プロセッサ７０３及びメモリ７０４が内部接続通路によって互いに接続される。前記プロセッサ７０３が前記メモリ７０４におけるコードを実行することに用いられる。
【００９９】
好ましくは、前記コードが実行されるとき、前記プロセッサ７０３は方法２００における端末装置の実行する対応操作を実現することができる。簡潔のため、ここで詳細な説明は省略する。
【０１００】
好ましくは、前記コードが実行されるとき、前記プロセッサ７０３は方法３００におけるネットワーク機器の実行する対応操作を実現することができる。簡潔のため、ここで詳細な説明は省略する。
【０１０１】
本発明の実施例において、「Ａに相応（対応）するＢ」は「ＢがＡに関連し、ＡによってＢを確定できる」を示すと理解すべきである。しかしながら、「ＡによってＢを確定する」は「ＡのみによってＢを確定する」を意味せず、「Ａ及び／又は他の情報によってＢを確定する」を意味すると更に理解すべきである。
【０１０２】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１０３】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１０４】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１０５】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１０６】
また、本願の各実施例において、各機能ユニットは１つの監視ユニットに統合されてもよく、各ユニットは独立して物理的に存在してもよく、２つ又は２つ以上のユニットは１つのユニットに統合されてもよい。
【０１０７】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１０８】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2021516458.tif 000004
【図２】
2021516458.tif 000005
【図３】
2021516458.tif 000006
【図４】
2021516458.tif 000007
【図５】
2021516458.tif 000008
【図６】
2021516458.tif 000009
【図７】
2021516458.tif 000010
【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
アップリンク制御情報の伝送方法であって、
端末装置は、上位層パラメータによって確定された第１ビット数に基づいてアップリンク制御チャネルリソース集合を確定することと、
前記端末装置は、ネットワーク機器から送信された、前記アップリンク制御チャネルリソース集合内の１つのアップリンク制御チャネルリソースを示すための構成情報を受信することと、
前記端末装置は、前記１つのアップリンク制御チャネルリソースに対応するチャネルフォーマットに基づき、伝送対象の第１アップリンク制御情報を確定し、前記第１アップリンク制御情報の占有したビット数が前記第１ビット数以下であることと、
前記端末装置は、前記チャネルフォーマットを用いて前記１つのアップリンク制御チャネルリソースにおいて前記第１アップリンク制御情報を伝送することと、を含むことを特徴とする、前記アップリンク制御情報の伝送方法。
【請求項２】
前記第１ビット数が第１閾値以上であり、第１閾値の値が２であることを特徴とする
請求項１に記載の方法。
【請求項３】
前記端末装置は、前記１つのアップリンク制御チャネルリソースに対応するチャネルフォーマットに基づき、伝送対象の第１アップリンク制御情報を確定することは、
前記１つのアップリンク制御チャネルリソースに対応するチャネルフォーマットが第１種類のチャネルフォーマットである場合、前記端末装置は、前記第１アップリンク制御情報の占有したビット数が前記第１ビット数に等しいことを確定し、
前記第１種類のチャネルフォーマットで搬送可能な最大ビット数が第１閾値より大きいことを含むことを特徴とする
請求項１又は２に記載の方法。
【請求項４】
前記端末装置は、前記１つのアップリンク制御チャネルリソースに対応するチャネルフォーマットに基づき、伝送対象の第１アップリンク制御情報を確定することは、
前記１つのアップリンク制御チャネルリソースに対応するチャネルフォーマットが第２種類のチャネルフォーマットである場合、前記端末装置は、前記第１アップリンク制御情報が、受信された物理ダウンリンク共有チャネルに対応するフィードバック情報であることを確定し、
前記第２種類のチャネルフォーマットで搬送可能な最大ビット数が第１閾値以下であることを含むことを特徴とする
請求項１又は２に記載の方法。
【請求項５】
前記端末装置が、前記第１アップリンク制御情報が、受信された物理ダウンリンク共有チャネルに対応するフィードバック情報であることを確定する前に、前記方法は、更に、
前記端末装置は、目標時間ユニット集合において１つの物理ダウンリンク共有チャネルを受信し、又は、
前記端末装置は、前記目標時間ユニット集合において少なくとも１つの物理ダウンリンク共有チャネルを受信し、前記少なくとも１つの物理ダウンリンク共有チャネルの数が前記第１閾値以下であり、且つ各物理ダウンリンク共有チャネルが１つの伝送ブロックを搬送し、
前記目標時間ユニット集合に少なくとも１つの目標時間ユニットが含まれ、前記１つのアップリンク制御チャネルリソースが、前記目標時間ユニット内で受信した物理ダウンリンク共有チャネルに対応するフィードバック情報を搬送することに用いられることを含むことを特徴とする
請求項４に記載の方法。
【請求項６】
アップリンク制御情報の伝送方法であって、
ネットワーク機器は、上位層パラメータによって確定された第１ビット数に基づいてアップリンク制御チャネルリソース集合を確定することと、
前記ネットワーク機器は、前記アップリンク制御チャネルリソース集合において１つのアップリンク制御チャネルリソースを確定し、前記１つのアップリンク制御チャネルリソースが、端末装置から送信された第１アップリンク制御情報を受信することに用いられることと、
前記ネットワーク機器は、前記１つのアップリンク制御チャネルリソースに対応するチャネルフォーマットに基づき、受信対象の第１アップリンク制御情報を確定し、前記第１アップリンク制御情報の占有したビット数が前記第１ビット数以下であることと、
前記ネットワーク機器は、前記チャネルフォーマットを用いて前記１つのアップリンク制御チャネルリソースにおいて、前記端末装置から送信された前記第１アップリンク制御情報を検出することと、を含むことを特徴とする、前記アップリンク制御情報の伝送方法。
【請求項７】
前記第１ビット数が第１閾値以上であり、第１閾値の値が２であることを特徴とする
請求項６に記載の方法。
【請求項８】
前記ネットワーク機器が、前記１つのアップリンク制御チャネルリソースに対応するチャネルフォーマットに基づき、受信対象の第１アップリンク制御情報を確定することは、
前記１つのアップリンク制御チャネルリソースに対応するチャネルフォーマットが第１種類のチャネルフォーマットである場合、前記ネットワーク機器が、前記第１アップリンク制御情報の占有したビット数が前記第１ビット数に等しいことを確定し、
前記第１種類のチャネルフォーマットで搬送可能な最大ビット数が第１閾値より大きいことを含むことを特徴とする
請求項６又は７に記載の方法。
【請求項９】
前記ネットワーク機器は、前記１つのアップリンク制御チャネルリソースに対応するチャネルフォーマットに基づき、受信対象の第１アップリンク制御情報を確定することは、
前記１つのアップリンク制御チャネルリソースに対応するチャネルフォーマットが第２種類のチャネルフォーマットである場合、前記ネットワーク機器は、前記第１アップリンク制御情報が、送信された物理ダウンリンク共有チャネルに対応するフィードバック情報であることを確定し、
前記第２種類のチャネルフォーマットで搬送可能な最大ビット数が第１閾値以下であることを含むことを特徴とする
請求項６又は７に記載の方法。
【請求項１０】
前記ネットワーク機器が、前記第１アップリンク制御情報が、送信された物理ダウンリンク共有チャネルに対応するフィードバック情報であることを確定する前に、前記方法は、更に、
前記ネットワーク機器は、目標時間ユニット集合において１つの物理ダウンリンク共有チャネルを送信し、又は、
前記ネットワーク機器は、目標時間ユニット集合において少なくとも１つの物理ダウンリンク共有チャネルを送信し、前記少なくとも１つの物理ダウンリンク共有チャネルの数が前記第１閾値以下であり、且つ各物理ダウンリンク共有チャネルが１つの伝送ブロックを搬送し、
前記目標時間ユニット集合に少なくとも１つの目標時間ユニットが含まれ、前記１つのアップリンク制御チャネルリソースが、前記目標時間ユニット内で送信した物理ダウンリンク共有チャネルに対応するフィードバック情報を搬送することに用いられることを含むことを特徴とする
請求項９に記載の方法。
【請求項１１】
端末装置であって、
上位層パラメータによって確定された第１ビット数に基づいてアップリンク制御チャネルリソース集合を確定するための確定ユニットと、
ネットワーク機器から送信された、前記確定ユニットで確定した前記アップリンク制御チャネルリソース集合内の１つのアップリンク制御チャネルリソースを示すための構成情報を受信するための通信ユニットと、を備え、
前記確定ユニットは、更に、前記１つのアップリンク制御チャネルリソースに対応するチャネルフォーマットに基づき、伝送対象の第１アップリンク制御情報を確定することに用いられ、前記第１アップリンク制御情報の占有したビット数が前記第１ビット数以下であり、
前記通信ユニットは、更に、前記チャネルフォーマットを利用して前記１つのアップリンク制御チャネルリソースにおいて、前記確定ユニットで確定した前記第１アップリンク制御情報を伝送することに用いられることを特徴とする、前記端末装置。
【請求項１２】
前記第１ビット数が第１閾値以上であり、第１閾値の値が２であることを特徴とする
請求項１１に記載の端末装置。
【請求項１３】
前記確定ユニットは、具体的に、
前記１つのアップリンク制御チャネルリソースに対応するチャネルフォーマットが第１種類のチャネルフォーマットである場合、前記第１アップリンク制御情報の占有したビット数が前記第１ビット数に等しいことを確定することに用いられ、
前記第１種類のチャネルフォーマットで搬送可能な最大ビット数が第１閾値より大きいことを特徴とする
請求項１１又は１２に記載の端末装置。
【請求項１４】
前記確定ユニットは、具体的に、
前記１つのアップリンク制御チャネルリソースに対応するチャネルフォーマットが第２種類のチャネルフォーマットである場合、前記第１アップリンク制御情報が、受信された物理ダウンリンク共有チャネルに対応するフィードバック情報であることを確定することに用いられ、
前記第２種類のチャネルフォーマットで搬送可能な最大ビット数が第１閾値以下であることを特徴とする
請求項１１又は１２に記載の端末装置。
【請求項１５】
前記通信ユニットは、更に、
目標時間ユニット集合において１つの物理ダウンリンク共有チャネルを受信し、又は、
前記目標時間ユニット集合において複数の物理ダウンリンク共有チャネルを受信することに用いられ、前記複数の物理ダウンリンク共有チャネルの数が前記第１閾値以下であり、各物理ダウンリンク共有チャネルが１つの伝送ブロックを搬送し、
前記目標時間ユニット集合に少なくとも１つの目標時間ユニットが含まれ、前記１つのアップリンク制御チャネルリソースが、前記目標時間ユニット内で受信した物理ダウンリンク共有チャネルに対応するフィードバック情報を搬送することに用いられることを特徴とする
請求項１４に記載の端末装置。
【請求項１６】
ネットワーク機器であって、
上位層パラメータによって確定された第１ビット数に基づいてアップリンク制御チャネルリソース集合を確定するための確定ユニットを備え、
前記確定ユニットは、更に、前記アップリンク制御チャネルリソース集合において１つのアップリンク制御チャネルリソースを確定することに用いられ、前記１つのアップリンク制御チャネルリソースが、端末装置から送信された第１アップリンク制御情報を受信することに用いられ、
前記確定ユニットは、更に、前記１つのアップリンク制御チャネルリソースに対応するチャネルフォーマットに基づき、受信対象の第１アップリンク制御情報を確定することに用いられ、前記第１アップリンク制御情報の占有したビット数が前記第１ビット数以下であり、
前記通信ユニットは、更に、前記チャネルフォーマットを利用して前記１つのアップリンク制御チャネルリソースにおいて、前記端末装置から送信された前記第１アップリンク制御情報を検出することに用いられることを特徴とする、前記ネットワーク機器。
【国際調査報告】
2021516458.tif 000011
2021516458.tif 000012
2021516458.tif 000013
2021516458.tif 000014